(57)【特許請求の範囲】
【請求項１】
開放位置と閉塞位置との間を回動することによってカセットシェルの前部に形成された前方及び上下に開放されたマウス部を開閉するフロントリッドと、対向して位置する側面部と該側面部間を連結する上面部とを有すると共にカセットシェルに前後方向にスライド自在に支持され開放位置まで回動されたフロントリッドと一体となってスライドするスライダーとを備えたテープカセットであって、
スライダーにその側面部から突出された係止部を設け、
フロントリッドに支持軸を設け、
フロントリッドの支持軸に回動自在に支持されると共に係止爪を有し該係止爪がスライダーの係止部に係止されてフロントリッドを閉塞位置にロックし、かつ、フロントリッドをロックする方向へ付勢されフロントリッドの回動動作に伴って回動されるリッドロック部材を設け、
該リッドロック部材の回動支点と係止爪との間の位置に所定の作用力で変位する弾性変位部を設けた
ことを特徴とするテープカセット。
【発明の詳細な説明】
【０００１】
【発明の属する技術分野】
本発明はテープカセットに関する。詳しくは、回動することによってマウス部を開閉するフロントリッドと該フロントリッドと一体となってカセットシェルに対して前後方向に移動可能なスライダーとを備えたテープカセットについての技術分野に関する。
【０００２】
【従来の技術】
テープカセットは、通常、テープ状記録媒体、例えば、磁気テープを巻装したテープリールをカセットシェル内において回転自在に支持して成り、このようなテープカセットには、回動することによってカセットシェルの前端部に形成されたマウス部を開閉するフロントリッドとカセットシェルに前後方向にスライド自在に支持されたスライダーとを備え、フロントリッドがスライダーの前端部に回動自在に支持されているものがある。そして、フロントリッドによってマウス部が閉塞された状態においては、マウス部の前面に位置されている磁気テープの前面がフロントリッドによって覆われた状態とされている。
【０００３】
スライダーは、フロントリッドが回動され開放位置に達した状態において該フロントリッドと一体となってカセットシェルに対してスライドされるようになっている。
【０００４】
テープカセットにはフロントリッドを閉塞位置にロックするリッドロック部材が設けられ、該リッドロック部材はフロントリッドの内面側に設けられた支持軸に回動自在に支持されている。そして、リッドロック部材は捩じりコイルバネによってフロントリッドをロックする方向へ付勢され、リッドロック部材に設けられた係止爪がスライダーに設けられた係止部に係止されることによってフロントリッドが閉塞位置においてロックされる。
【０００５】
【発明が解決しようとする課題】
ところが、上記した従来のテープカセットにおいて、例えば、マウス部の前面に位置された磁気テープの状態を見ようとして、ロックされたフロントリッドを無理に開けようとすると、リッドロック部材のロック力が強いためロックが外れず、フロントリッドの支持軸やリッドロック部材自体を破損してしまうという不具合を生じるおそれがあった。
【０００６】
例えば、従来のテープカセットにあっては、ロックされているフロントリッドを介してリッドロック部材に約１Ｋｇｆの力が加えられると、上記した破損を生じる可能性が高かった。
【０００７】
そこで、本発明テープカセットは、フロントリッドを介してリッドロック部材にロックを解除する方向への所定の作用力が加わったときに、フロントリッドの支持軸やリッドロック部材に破損を生じないようにすることを課題とする。
【０００８】
【課題を解決するための手段】
本発明テープカセットは、上記した課題を解決するために、カセットシェルに対してスライドするスライダーにその側面部から突出された係止部を設け、マウス部を開閉するフロントリッドに支持軸を設け、フロントリッドの支持軸に回動自在に支持されると共に係止爪を有し該係止爪がスライダーの係止部に係止されてフロントリッドを閉塞位置にロックし、かつ、フロントリッドをロックする方向へ付勢されフロントリッドの回動動作に伴って回動されるリッドロック部材を設け、該リッドロック部材の回動支点と係止爪との間の位置に所定の作用力で変位する弾性変位部を設けたものである。
【０００９】
従って、本発明テープカセットは、所定の作用力が加わったときに弾性変位部が変位してリッドロック部材によるフロントリッドに対するロックが解除される。
【００１０】
【発明の実施の形態】
以下に、本発明テープカセットの実施の形態について添付図面を参照して説明する。
【００１１】
テープカセット１は、薄い箱状をしたカセットシェル２内にテープ状記録媒体としての磁気テープ３を巻装した一対のテープリール４、４が左右に離間して回転可能に収納されて成る（図１参照）。
【００１２】
テープリール４、４は、それぞれ磁気テープ３が巻回される軸部の軸方向における両端部にそれぞれ上フランジ部４ａ、下フランジ部４ｂが設けられて成り、軸部に磁気テープ３が巻回されている（図１参照）。
【００１３】
カセットシェル２は上シェル５と下シェル６とが上下で結合されて成る（図１及び図２参照）。上シェル５は主面となる上壁部７と該上壁部７の後縁から垂設された後壁部８と上壁部７の左右両側縁のそれぞれ後半部から垂設された側壁部９、９とを有している（図１２参照）。側壁部９、９の下縁は後述するスライダーを案内する案内突部９ａ、９ａとして形成されており、また、上壁部７の左側縁の前半部と上壁部７の右側縁に寄った位置の前半部にも、それぞれ下方へ突出し前後方向に延びる案内レール７ａ、７ｂが設けられている（図３及び図４参照）。
【００１４】
下シェル６は主面となる底壁部１０と該底壁部１０の後縁から立設された後壁部１１と底壁部１０の左右両側縁から立設された側壁部１２、１２とを有し（図１２参照）、該側壁部１２、１２は、その後端部を除く部分が該後端部より稍内側に位置され、この後端部を除く部分が段差面部１２ａ、１２ａとして形成されている（図２参照）。
【００１５】
上シェル５と下シェル６とが上下で結合されカセットシェル２が構成された状態においては、その左右両端部の前端部に前後に開口した角筒状を為すテープ引出部２ａ、２ａが形成され、カセットシェル２の前面側でテープ引出部２ａ、２ａ間に形成された空間がマウス部１３として形成される。そして、このマウス部１３は前方及び上下に開放されている。また、テープリール４、４に巻回された磁気テープ３は、テープ引出部２ａ、２ａを介して引き出されマウス部１３の前側を横切るように位置されている。
【００１６】
テープカセット１には、カセットシェル２の前面に沿って位置する磁気テープ３の前面側を覆うフロントリッド１４が回動自在に設けられている（図１、図２及び図５参照）。
【００１７】
フロントリッド１４は、被支持部１５、１５と該被支持部１５、１５を連結し磁気テープ３の前面側を覆う閉塞部１６とが一体に形成されて成り、被支持部１５、１５の内面にはそれぞれ内方へ突出された回動支点軸１５ａ、１５ａが設けられている。そして、右側の被支持部１５の内面には、それぞれ回動支点軸１５ａから稍離間した位置に支持軸１５ｂと被規制凹部１５ｃとが各別に形成されている。また、被支持部１５、１５の外面には、その周縁の一部に外面側が薄く削り取られるようにして摺動凹部１５ｄ、１５ｄが形成されている。
【００１８】
フロントリッド１４の閉塞部１６の左右両側縁の外面には、それぞれ係合凹部１６ａ、１６ａが形成され、右側の係合凹部１６ａの直ぐ下側に下方に開口され閉塞部１６の内外を連通する挿入用切欠１６ｂが形成されている。
【００１９】
スライダー１７は板状の金属材料によって形成され、横長の略矩形状を為す上面部１８と該上面部１８の左右両側縁の後半部から垂設された側面部１９、１９と上面部１８の左右両側縁の前半部から垂設されたリッド支持部２０、２０と上面部１８の前縁から垂設されたバックリッド部２１とが一体に形成されて成る（図６乃至図８参照）。そして、リッド支持部２０、２０は、それぞれ側面部１９、１９より稍内側に位置され、上下幅は側面部１９、１９の略半分とされている。
【００２０】
側面部１９、１９の下端部には、内側に折り返されて上方に開口された断面コ字状を為す被案内支持部１９ａ、１９ａが形成されている。また、側面部１９、１９の前端縁の下端部からは前方へ向けてオーバーラップ部１９ｂ、１９ｂが突設されている。
【００２１】
リッド支持部２０、２０には、それぞれ下方へ開口した略半円状の軸支持部２０ａ、２０ａが形成され、また、リッド支持部２０、２０の後端部下縁には、それぞれ内方へ突出したフック部２２、２３が形成されている。
【００２２】
フック部２２、２３は、リッド支持部２０、２０からこれと直交する方向へ突出された突出部２２ａ、２３ａと該突出部２２ａ、２３ａの先端から上方へ突出された摺動係合部２２ｂ、２３ｂとから成る。また、突出部２３ａの外端部の前縁、即ち、リッド支持部２０側の部分の前縁には、凹状を為す位置規制部２３ｃが形成されている（図７及び図１０参照）。さらに、突出部２２ａ、２３ａは、右側の突出部２３ａの突出長さが左側の突出部２２ａのそれより長くされている（図７参照）。
【００２３】
バックリッド部２１は、その左右の幅が上記マウス部１３の左右の幅より僅かに小さく形成され、下端部が折り返されている。
【００２４】
スライダー１７は、側面部１９、１９の被案内支持部１９ａ、１９ａがそれぞれ上シェル５の側壁部９、９の案内突部９ａ、９ａに摺動自在に係合され、また、フック部２２、２３の摺動係合部２２ｂ、２３ｂがそれぞれ上シェル５の上壁部７の案内レール７ａ、７ｂの内面に摺動自在に係合され（図４参照）、これによりスライダー１７が案内突部９ａ、９ａ及び案内レール７ａ、７ｂに案内されて上シェル５に対して前後方向にスライドされる。
【００２５】
上記フロントリッド１４は、被支持部１５、１５の回動支点軸１５ａ、１５ａがスライダー１７のリッド支持部２０、２０の軸支持部２０ａ、２０ａに支持されることにより、スライダー１７に対して回動支点軸１５ａ、１５ａを支点として回動自在とされる。そして、フロントリッド１４がスライダー１７に支持された状態においては、スライダー１７のオーバーラップ部１９ｂ、１９ｂがそれぞれ被支持部１５、１５の摺動凹部１５ｄ、１５ｄに外側から摺接される（図１乃至図３参照）。
【００２６】
スライダー１７は、フロントリッド１４がマウス部１３を閉塞する閉塞位置にある状態においては、フロントリッド１４の閉塞部１６がカセットシェル２のテープ引出部２ａ、２ａに規制されるため、即ち、スライダー１７が後方へスライドしようとしてもフロントリッド１４の閉塞部１６がテープ引出部２ａ、２ａの前面に当接して規制されるため後方へスライドすることはできないが（図１１参照）、フロントリッド１４がマウス部１３を開放する開放位置にある状態においては、テープ引出部２ａ、２ａによる規制された状態が解除されるため、スライダー１７はフロントリッド１４と一体となってカセットシェル２に対して後方へスライドすることが可能である（図１３参照）。
【００２７】
フロントリッド１４の右側の被支持部１５の内面にはリッドロック部材２４が回動自在に支持される（図５、図９及び図１０参照）。リッドロック部材２４は全体に細長く形成され、略中央部に被支持孔２４ａが形成されている。そして、リッドロック部材２４は被支持孔２４ａにフロントリッド１４の被支持部１５に形成された支持軸１５ｂが挿通され、該支持軸１５ｂを支点として回動可能とされる。
【００２８】
リッドロック部材２４の一端部からは係止爪２４ｂが突設されている。そして、リッドロック部材２４には、被支持孔２４ａの近傍の部分に、フロントリッド１４の被支持部１５と反対側に位置する部分を切り欠いて形成したバネ掛け面２４ｃが形成され、該バネ掛け面２４ｃの側縁には規制突部２４ｄが設けられている。また、リッドロック部材２４の他端部はその周面が曲面に形成された被作用部２４ｅとして形成され、当該他端部寄りの位置に被支持部１５側に突出する被規制ピン２４ｆが突設されている。
【００２９】
また、リッドロック部材２４には、被支持孔２４ａと係止爪２４ｂとの間で該係止爪２４ｂに寄った位置に、係止爪２４ｂが突出された方向へ開放された切欠２４ｇが形成されている。リッドロック部材２４の切欠２４ｇによって切り欠かれた部分は、円弧面に形成され、リッドロック部材２４には、切欠２４ｇを形成することにより他の部分より薄肉にされた弾性変位部２４ｈが形成される（図９参照）。
【００３０】
リッドロック部材２４は係止爪２４ｂがスライダー１７の右側に位置するフック部２３の突出部２３ａに後方側から係止され、これによりフロントリッド１４が閉塞位置においてロックされる（図１０参照）。従って、スライダー１７のフック部２３は、リッドロック部材２４の係止爪２４ｂが係止される係止部としての役割を果たす。そして、リッドロック部材２４の被規制ピン２４ｆは被支持部１５の規制凹部１５ｃ内に位置されている。また、リッドロック部材２４がフロントリッド１４をロックした状態においては、被作用部２４ｅが最下端に位置するようになっている（図１０及び図１１参照）。
【００３１】
リッドロック部材２４は、捩じりコイルバネ２５によってフロントリッド１４をロックする方向へ付勢される（図５及び図１０参照）。
【００３２】
捩じりコイルバネ２５は、コイル部２５ａがフロントリッド１４の回動支点軸１５ａに嵌挿され、一端部２５ｂがスライダー１７のフック部２３の位置規制部２３ｃ内に位置されて突出部２３ａに弾接され、他端部２５ｃがリッドロック部材２４のバネ掛け面２４ｃに弾接されている（図１０参照）。従って、リッドロック部材２４は、係止爪２４ｂがスライダー１７のフック部２３に係止される方向、即ち、リッドロック部材１４をロックする方向へ付勢される。
【００３３】
上記したように、捩じりコイルバネ２５は、一端部２５ｂがスライダー１７のフック部２３の位置規制部２３ｃ内に位置されて突出部２３ａに弾接されているため、テープカセット１に振動等が生じても、一端部２５ｂがフック部２３の摺動係合部２３ｂ側へ位置ずれを生じてしまうことがない。従って、捩じりコイルバネ２５の一部がテープカセット１の他の部分、例えば、フック部２３の摺動係合部２３ｂが摺動される案内レール７ｂに接触しまうことがなく、これによりスライダー１７のスライド動作の信頼性を確保することができる。
【００３４】
以下に、フロントリッド１４及びスライダー１７の動作について説明する（図１１乃至図１４参照）。
【００３５】
テープカセット１が装着されるテーププレーヤー等の装置（以下、単に「装置」と言う。）には、支持部材が設けられており、該支持部材にはフロントリッド１４を保持して回動させるリッドオープナー２６、２６とリッドロック部材２４のフロントリッド１４に対するロックを解除するロック解除カム２７とが設けられている（図１２乃至図１４参照）。そして、リッドオープナー２６は、一端部が回動支点２６ａとして設けられ、他端部に係合突部２６ｂが設けられ、回動支点２６ａを中心として支持部材に対して回動可能とされている。また、ロック解除カム２７は、後端部が前方へいくに従って上方へ変位する傾斜縁２７ａとして形成され、該傾斜縁２７ａに連続する部分が水平な水平縁２７ｂとして形成されている。
【００３６】
テープカセット１が装置に装着される前の状態においては、リッドロック部材２４の係止爪２４ｂがスライダー１７のフック部２３の突出部２３ａに係止されることにより、フロントリッド１４が閉塞位置においてロックされている（図１１参照）。そして、スライダー１７はカセットシェル２に対する移動範囲における前端に位置されている（図１１参照）。
【００３７】
テープカセット１を装置の挿入口から図１１に示す矢印Ａ１方向へ挿入していくと、ロック解除カム２７がフロントリッド１４の閉塞部１６に形成された挿入用切欠１６ｂからフロントリッド１４の内側に相対的に挿入されていく（図１２参照）。このとき、リッドオープナー２６、２６の係合突部２６ｂ、２６ｂがフロントリッド１４の係合凹部１６ａ、１６ａに係合される。また、テープカセット１のＡ１方向への移動に伴って、ロック解除カム２７の傾斜縁２７ａと水平縁２７ｂが順にリッドロック部材２４の被作用部２４ｅと摺接され、これによりリッドロック部材２４がフロントリッド１４に対するロックを解除する方向、即ち、図１２に示すＢ１方向へ回動され、係止爪２４ｂのスライダー１７の突出部２３ａに対する係合が解除される。従って、フロントリッド１４の閉塞位置におけるロックが解除される（図１２参照）。
【００３８】
さらに、テープカセット１がＡ１方向へ挿入されると、リッドオープナー２６、２６がテープカセット１のＡ１方向への移動に伴って回動され、これによりフロントリッド１４がＢ１方向へ回動されていく（図１３参照）。
【００３９】
リッドロック部材２４はフロントリッド１４とともに回動され、リッドロック部材２４とロック解除カム２７の水平縁２７ｂとの摺接が解除される。そして、リッドロック部材２４とロック解除カム２７の水平縁２７ｂとの摺接が解除されると、リッドロック部材２４は捩じりコイルバネ２５の付勢力によってＢ２方向へ回動しようとするが、リッドロック部材２４の被規制ピン２４ｆがフロントリッド１４の規制凹部１５ｃの端縁に接触しＢ２方向への回動が規制される（図１３参照）。
【００４０】
フロントリッド１４が閉塞位置からＢ１方向へ略９０度回動されると、閉塞部１６がカセットシェル２のテープ引出部２ａ、２ａの前面から離間され該テープ引出部２ａ、２ａによる規制が解除されるため、スライダー１７がフロントリッド１４と一体となってカセットシェル２に対して後方へスライドすることが可能な状態となる（図１３参照）。
【００４１】
この状態からさらにテープカセット１がＡ１方向へ挿入されると、フロントリッド１４がリッドオープナー２６、２６に保持されているため、カセットシェル２のＡ１方向への移動によって、スライダー１７がフロントリッド１４と一体となってカセットシェル２に対して相対的に後方、即ち、Ａ２方向へスライドされる。そして、テープ引出部２ａ、２ａが装置に設けられた図示しないストッパーに当接されたところで、テープカセット１の装置への挿入が完了し、スライダー１７は後方側の移動端に位置される（図１４参照）。
【００４２】
テープカセット１の装置への挿入が完了した状態からテープカセット１がＡ２方向へ移動され装置から引き出されていくと、フロントリッド１４がリッドオープナー２６、２６に保持されているため、カセットシェル２がＡ２方向へ移動されることによって、スライダー１７がフロントリッド１４と一体となってカセットシェル２に対して相対的に前方、即ち、Ａ１方向へ移動される（図１３参照）。
【００４３】
スライダー１７が前方側の移動端までスライドされると、フロントリッド１４がＢ２方向へ回動され、再びマウス部１３を閉塞する。そして、リッドロック部材２４は被作用部２４ｅが再びロック解除カム２７の水平縁２７ｂと接する（図１２参照）。
【００４４】
さらに、テープカセット１がＡ２方向へ移動されると、ロック解除カム２７とリッドロック部材２４の被作用部２４ｅが摺動され、被作用部２４ｅとロック解除カム２７の傾斜縁２７ａとが摺接されるに従ってリッドロック部材２４が捩じりコイルバネ２５の付勢力によってＢ２方向へ回動され、再び係止爪２４ｂがスライダー１７の突出部２３ａに係止されフロントリッド１４が閉塞位置においてロックされる。
【００４５】
図１５は、リッドロック部材２４にフロントリッド１４を介して所定の作用力が加えられたときに、リッドロック部材２４の弾性変位部２４ｈが弾性変位してフロントリッド１４のロックが解除される状態を示すものである。
【００４６】
例えば、マウス部１３の前面に位置されフロントリッド１４によって覆われた磁気テープ３の状態を見ようとして、使用者がロックされたフロントリッド１４を開けようとしたときには、該フロントリッド１４を介してリッドロック部材２４に作用力が加えられる。このとき、リッドロック部材２４は捩じりコイルバネ２５の付勢力によってＢ２方向へ付勢されているが、リッドロック部材２４には被支持孔２４ａと係止爪２４ｂとの間の位置に弾性変位部２４ｈが設けられているため、フロントリッド１４のＢ１方向への回動に伴って弾性変位部２４ｈを支点として、それより上側に位置する部分が弾性変位部２４ｈより下側に位置する部分に対して矢印Ｘの方向へ変位され、係止爪２４ｂとスライダー１７のフック部２３との係止状態が解除される。
【００４７】
従って、リッドロック部材２４によるフロントリッド１４のロック状態が解除され、フロントリッド１４を開放位置まで開放することが可能である。そして、リッドロック部材２４の係止爪２４ｂとスライダー１７のフック部２３との係止状態が解除されると、リッドロック部材２４は弾性変位部２４ｈが弾性復帰して元の状態に戻る。
【００４８】
以上に記載した通り、テープカセット１にあっては、リッドロック部材２４に、被支持孔２４ａと係止爪２４ｂとの間の位置に弾性変位部２４ｈを設けているため、ロックされているフロントリッド１４を開けようとした場合に、該フロントリッド１４を介してリッドロック部材２４に所定の作用力が加えられたときに、リッドロック部材２４の弾性変位によってフロントリッド１４のロックが解除される。従って、フロントリッド１４の支持軸１５ｂやリッドロック部材２４自体を破損してしまうという不具合を回避することができる。
【００４９】
図１７に示す図表は、３つの異なるタイプのリッドロック部材について、弾性変位の状態を検討した結果を示すものである。
【００５０】
検討はタイプＩ、タイプＩＩ、タイプＩＩＩの３つのタイプについて行い、これらの３つのタイプＩ、タイプＩＩ、タイプＩＩＩの何れも、弾性変位部２４ｈが被支持孔２４ａと係止爪２４ｂの中央より係止爪２４ｂ側に寄った位置に設けられたものである。
【００５１】
図表中、「角度α」は図１６に示すように弾性変位支点Ｐを中心とした回動支点Ｑと係止爪２４ｂとの間の角度を示し、「距離β」は図１６に示すように弾性変位支点Ｐから回動支点Ｑと係止爪２４ｂとを結ぶ線までの距離を示し、「断面積」は弾性変位部２４ｈにおける弾性変位支点Ｐを含む最小断面の面積を示し、「厚み」は弾性変位部２４ｈの厚み、即ち、左右方向における幅を示し、「作用力」はフロントリッド１４を介してリッドロック部材に加えられた作用力を示す。
【００５２】
また、この検討において使用したリッドロック部材はＰＯＭ（ポリアセタール樹脂）によって形成されたものであり、また、スライダーはＳＵＳ（ステンレス鋼）によって形成されたものである。
【００５３】
図１７に示す通り、タイプＩは作用力３５０ｇｆで弾性変位してフロントリッド１４のロックが解除されたが、タイプＩＩ及びタイプＩＩＩは、それぞれ作用力６００ｇｆ、８００ｇｆで弾性変位してフロントリッド１４のロックが解除された。また、「係止爪の削れ」の欄に示す通り、タイプＩ、タイプＩＩ、タイプＩＩＩの３つのタイプの何れの場合も弾性変位する際にフック部２３に摺接される係止爪２４ｂにほとんど削れが生じることがなかった。さらに、３つのタイプの何れの場合も弾性復帰した状態において塑性変形がなく元の状態に戻り、リッドロック部材としての機能を損なうことなく繰り返し使用することが可能であった。
【００５４】
フロントリッド１４を介してリッドロック部材２４に加えられる作用力は、５００ｇｆを基準とすることが好ましいと考えられる。この基準を考慮し、さらに、リッドロック部材としての機能を損なうことなく繰り返し使用することが可能であることを考慮すると、「使用可否」の欄に示す通り、タイプＩＩ及びタイプＩＩＩについて特に良好な結果を得た。
【００５５】
尚、リッドロック部材２４としては、上記した３つのタイプのように、弾性変位部２４ｈが被支持孔２４ａと係止爪２４ｂの中央より係止爪２４ｂ側に寄った位置に設けられたものでは、弾性変位する際にフック部２３に摺接される係止爪２４ｂにほとんど削れが生じないが、弾性変位部２４ｈが被支持孔２４ａと係止爪２４ｂの中央より被支持孔２４ａ側に寄った位置に設けられたものでは、弾性変位する際にフック部２３に摺接される係止爪２４ｂに削れが生じる可能性が高い。
【００５６】
これは、弾性変位部２４ｈが係止爪２４ｂに近い方が、弾性変位したときに弾性変位部２４ｈより上側に位置する部分の下側に位置する部分に対する変位角度が大きくなり、係止爪２４ｂとスライダー１７のフック部２３との係止状態が解除され易くなるためであると考えられる。
【００５７】
また、上記には、リッドロック部材２４として、係止爪２４ｂが突出された方向へ開放された切欠２４ｇを形成して弾性変位部２４ｈを設けたものを示したが、逆に、リッドロック部材として、係止爪２４ｂが突出された方向と反対の方向へ開放された切欠を形成して弾性変位部を設けたものを使用することも可能である。
【００５８】
上記した実施の形態において示した各部の形状及び構造は、何れも本発明の実施を行うに際しての具体化のほんの一例を示したものに過ぎず、これらによって本発明の技術的範囲が限定的に解釈されることがあってはならないものである。
【００５９】
【発明の効果】
以上に記載したところから明らかなように、本発明テープカセットは、開放位置と閉塞位置との間を回動することによってカセットシェルの前部に形成された前方及び上下に開放されたマウス部を開閉するフロントリッドと、対向して位置する側面部と該側面部間を連結する上面部とを有すると共にカセットシェルに前後方向にスライド自在に支持され開放位置まで回動されたフロントリッドと一体となってスライドするスライダーとを備えたテープカセットであって、スライダーにその側面部から突出された係止部を設け、フロントリッドに支持軸を設け、フロントリッドの支持軸に回動自在に支持されると共に係止爪を有し該係止爪がスライダーの係止部に係止されてフロントリッドを閉塞位置にロックし、かつ、フロントリッドをロックする方向へ付勢されフロントリッドの回動動作に伴って回動されるリッドロック部材を設け、該リッドロック部材の回動支点と係止爪との間の位置に所定の作用力で変位する弾性変位部を設けたことを特徴とする。
【００６０】
従って、ロックされているフロントリッドを開けようとした場合に、該フロントリッドを介してリッドロック部材に所定の作用力が加えられたときに、リッドロック部材の弾性変位によってフロントリッドのロックが解除されるため、フロントリッドの支持軸やリッドロック部材自体を破損してしまうという不具合を回避することができる。
【図面の簡単な説明】
【図１】図２乃至図１７と共に本発明テープカセットの実施の形態を示すものであり、本図はフロントリッドが閉塞されている状態を示すテープカセットの概略斜視図である。
【図２】フロントリッドが開放されている状態を示すテープカセットの概略斜視図である。
【図３】上シェルとフロントリッドとスライダーとの関係を示す斜視図である。
【図４】上シェルとスライダーの関係を示す底面図である。
【図５】フロントリッドとリッドロック部材と捩じりコイルバネとを分解して示す斜視図である。
【図６】スライダーの斜視図である。
【図７】スライダーの平面図である。
【図８】スライダーの側面図である。
【図９】リッドロック部材の拡大斜視図である。
【図１０】要部を示す拡大斜視図である。
【図１１】図１２乃至図１４と共にフロントリッド及びスライダーの動作を示すものであり、本図はフロントリッドが閉塞位置にある状態を示す概略拡大側面図である。
【図１２】リッドロック部材によるフロントリッドに対するロックが解除された状態を示す概略拡大側面図である。
【図１３】フロントリッドが開放位置にある状態を示す概略拡大側面図である。
【図１４】スライダーが後方の移動端に位置されている状態を示す概略拡大側面図である。
【図１５】リッドロック部材が弾性変位してフロントリッドに対するロックが解除される状態を示す概略拡大側面図である。
【図１６】リッドロック部材の拡大側面図である。
【図１７】３つの異なるタイプのリッドロック部材について弾性変位の状態を検討した結果を示す図表である。
【符号の説明】
１…テープカセット、２…カセットシェル、１３…マウス部、１４…フロントリッド、１５ｂ…支持軸、１７…スライダー、１８…上面部、１９…側面部、２３…フック部（係止部）、２４…リッドロック部材、２４ｂ…係止爪、２４ｈ…弾性変位部
【図１】
0004324833.tif 000002
【図２】
0004324833.tif 000003
【図３】
0004324833.tif 000004
【図４】
0004324833.tif 000005
【図５】
0004324833.tif 000006
【図６】
0004324833.tif 000007
【図７】
0004324833.tif 000008
【図８】
0004324833.tif 000009
【図９】
0004324833.tif 000010
【図１０】
0004324833.tif 000011
【図１１】
0004324833.tif 000012
【図１２】
0004324833.tif 000013
【図１３】
0004324833.tif 000014
【図１４】
0004324833.tif 000015
【図１５】
0004324833.tif 000016
【図１６】
0004324833.tif 000017
【図１７】
0004324833.tif 000018